(57)【要約】【課題】  フォークリフトを用いた荷役作業の安全性を向上させる。【解決手段】  安全装置付フォークリフトの受信アンテナ３２，３４は、運転席１０の側方における無線信号の受信感度は、運転席１０の前方側及び後方側における受信感度に比べて低くなるようにするために、運転席１０の前方側に配置されるとともに、その配置位置を中心として、無線電波の受信領域が、フォークリフトの上方側から見て前後方向に８の字型となるように設置されている。【選択図】  図１
2008044682.tif 000002
【特許請求の範囲】
【請求項１】
作業者に所持される送信手段から発信される無線信号を受信する受信手段、及び前記受信手段にて受信された受信結果に基づいて警報を行う警報手段を有して構成された安全装置を備えるとともに、
車両本体の前方側に設けられて荷物を昇降させる荷物昇降手段、及び前記車両本体の後方に配置された操舵用の車輪を有する安全装置付フォークリフトであって、
前記車両本体の側方側のうち、前記車両本体の旋回中心を通って前記車両本体の側方に延びる旋回中心線が含まれる所定範囲の領域を旋回中心領域とした場合において、
前記受信手段は、前記旋回中心領域における前記無線信号の受信感度が、前記車両本体の前端側から前方側における前記受信感度、及び前記操舵用の車輪よりも後方側における前記受信感度に比べて低くなるように構成されていることを特徴とする安全装置付フォークリフト。
【請求項２】
作業者に所持される送信手段から発信される無線信号を受信する受信手段、及び前記受信手段にて受信された受信結果に基づいて警報を行う警報手段を有して構成された安全装置を備えるとともに、
車両本体の前方側に設けられて荷物を昇降させる荷物昇降手段、及び前記車両本体の後方に配置された操舵用の車輪を有する安全装置付フォークリフトであって、
前記受信手段は、前記車両本体の前端側から前方側における前記受信感度、及び前記操舵用の車輪よりも後方側における前記受信感度が、他の領域における前記受信感度に比べて高くなるように構成されていることを特徴とする安全装置付フォークリフト。
【請求項３】
前記受信手段は、アンテナを有して構成されており、
さらに、前記アンテナは、ヘリカルアンテナであることを特徴とする請求項１又は請求項２に記載の安全装置付フォークリフト。
【請求項４】
前記受信手段が有する全てのアンテナは、運転席よりも前方側に配置されていることを特徴とする請求項３に記載の安全装置付フォークリフト。
【請求項５】
運転席の上方側には、運転者を保護するためのガード部材が設けられており、
さらに、前記アンテナは、前記ガード部材に配置されていることを特徴とする請求項３又は請求項４に記載の安全装置付フォークリフト。
【請求項６】
前記車両本体の前端には、前記荷物昇降手段の側方側から前方に向かって延びる一対のアウトリガーが設けられており、
さらに、前記アンテナは、前記一対のアウトリガーのうち右側のアウトリガーと、前記車両本体の左後端部とに配置されていることを特徴とする請求項３に記載の安全装置付フォークリフト。
【発明の詳細な説明】
【技術分野】
【０００１】
本発明は、安全装置を備える安全装置付フォークリフトに関する。
【背景技術】
【０００２】
安全装置付フォークリフトでは、作業者に所持された携帯機から送信（発信）される無線信号を受信し、その無線信号を受信した際に警報音を発生してフォークリフトの運転者に対して注意を促すことにより、フォークリフトを用いた荷役作業の安全性を確保している（例えば、特許文献１参照）。
【特許文献１】特開２００３−３１７１６３号公報
【発明の開示】
【発明が解決しようとする課題】
【０００３】
ところで、特許文献１に記載の発明では、運転席を中心として、３６０度全域方向に渡って、ほぼ同一感度にて携帯機からの無線信号を受信することができるように構成されているが、特許文献１に記載の発明では、後述する理由により、十分に荷役作業の安全性を確保することができず、荷役作業の安全性が低下してしまうおそれがある。
【０００４】
本発明は、上記問題点に鑑みなされたものであり、フォークリフトを用いた荷役作業の安全性を向上させることを目的とする。
【課題を解決するための手段】
【０００５】
本発明は、上記目的を達成するために、請求項１に記載の発明では、作業者に所持される送信手段から発信される無線信号を受信する受信手段、及び受信手段にて受信された受信結果に基づいて警報を行う警報手段を有して構成された安全装置を備えるとともに、車両本体の前方側に設けられて荷物を昇降させる荷物昇降手段、及び車両本体の後方に配置された操舵用の車輪を有する安全装置付フォークリフトであって、車両本体の側方側のうち、車両本体の旋回中心を通って車両本体の側方に延びる旋回中心線が含まれる所定範囲の領域を旋回中心領域とした場合において、受信手段は、旋回中心領域における無線信号の受信感度が、車両本体の前端側から前方側における受信感度、及び操舵用の車輪よりも後方側における受信感度に比べて低くなるように構成されていることを特徴とする。
【０００６】
ところで、フォークリフトは後輪操舵される。このため、旋回中心領域は、フォークリフトの旋回時に車両本体（フォークリフト）がすぐに到達し得ない領域となるので、その領域に作業者がいたとしても、車両本体が作業者に衝突してしまう前に、作業者は車両本体が接近してくるのに気付いてその場から退避することができる。したがって、この旋回中心領域は作業者にとって安全な領域であるとみなすことができる。
【０００７】
また、旋回中心領域は、一般に、運転者の視界を遮るものがないので、運転者は、自ら安全性を確認した上でフォークリフトを操作することができる。
このとき、特許文献１に記載の発明のように、運転席を中心として３６０度全域方向に渡ってほぼ同一感度にて携帯機からの無線信号を受信可能であった場合には、旋回中心領域に作業者が存在したとしても警報が行われるので、このような警報が繰り返し行われると、運転者が警報に対して鈍感になってしまう、又は安全装置に頼ってしまい運転者自らが安全確認を怠ってしまう等の弊害が発生してしまうおそれがある。
【０００８】
それに加えて、フォークリフトは、狭い通路における荷役作業に用いられる場合が多いので、特許文献１に記載のように、運転席を中心として３６０度全域方向に渡ってほぼ同一感度にて携帯機からの無線信号を受信可能であった場合には、警報が頻繁に繰り返し行われてしまうので、運転者が、頻繁に繰り返して行われる警報を煩わしく感じてしまい、運転者が電源を遮断する等して安全装置を停止させてしまうおそれがある。
【０００９】
これに対して、請求項１に記載の発明では、旋回中心領域における無線信号の受信感度が低くなるように構成されているので、作業者にとって安全とみなすことができ、かつ、運転者自らが安全確認を行うことができる旋回中心領域については、警報が頻繁に繰り返し行われることを抑制でき、運転者が警報に対して鈍感になってしまう等の弊害が発生してしまうことを抑制できる。
【００１０】
また、車体本体の前方側には、上述したように、荷物を昇降させる荷物昇降手段を有しているので、フォークリフトを用いた荷役作業では、荷物によって運転者の前方側の視界が遮られてしまう。一方、運転席の後方側は、運転者の視界を遮るものはないものの、フォークリフトを操作している運転者の後方側となるので、実質的な意味で十分な視界を確保することができない。
【００１１】
また、フォークリフトは後輪操舵されるので、フォークリフトが旋回する際には、前輪側を中心として後輪側が弧を描くように大きく左右に動く。このため、操舵用の車輪、すなわち後輪よりも後方側に対しては、十分な注意を払う必要がある。
【００１２】
これらに対して、請求項１に記載の発明では、車両本体の前端側から前方側、及び操舵用の車輪よりも後方側については、旋回中心領域と異なり十分な受信感度を有しているので、車両本体の前端側から前方側、及び操舵用の車輪よりも後方側における作業者の有無を確実に検出して警報を行うことができる。
【００１３】
したがって、請求項１に記載の発明では、フォークリフトを用いた荷役作業の安全性を向上させることができる。
また、請求項２に記載の発明では、作業者に所持される送信手段から発信される無線信号を受信する受信手段、及び受信手段にて受信された受信結果に基づいて警報を行う警報手段を有して構成された安全装置を備えるとともに、車両本体の前方側に設けられて荷物を昇降させる荷物昇降手段、及び車両本体の後方に配置された操舵用の車輪を有する安全装置付フォークリフトであって、受信手段は、車両本体の前端側から前方側における受信感度、及び操舵用の車輪よりも後方側における受信感度が、他の領域における受信感度に比べて高くなるように構成されていることを特徴とする。
【００１４】
このような請求項２に記載の発明では、車両本体の前端側から前方側、及び操舵用の車輪よりも後方側については、旋回中心領域と異なり十分な受信感度を有しているので、車両本体の前端側から前方側、及び操舵用の車輪よりも後方側における作業者の有無を確実に検出して警報を行うことができる。
【００１５】
したがって、請求項２に記載の発明においても、請求項１に記載の発明と同様に、フォークリフトを用いた荷役作業の安全性を向上させることができる。
また、請求項３に記載の発明では、受信手段は、アンテナを有して構成されており、さらに、アンテナは、ヘリカルアンテナであることを特徴とする。
【００１６】
このような請求項３に記載の発明によれば、アンテナとして、入手が容易なヘリカルアンテナを用いるので、安全装置付フォークリフトの製造原価上昇を抑制しつつ、荷役作業の安全性を向上させることができる。
【００１７】
また、請求項４に記載の発明では、受信手段が有する全てのアンテナは、運転席よりも前方側に配置されていることを特徴とする。
このような請求項４に記載の発明によれば、荷役作業時に特に視界が狭くなる前方側における受信感度を適正なものとすることができるので、荷役作業の安全性を更に向上させることができる。
【００１８】
また、運転席の上方側に運転者を保護するためのガード部材が設けられている場合には、請求項５に記載のように、ガード部材にアンテナを配置すれば、新たにアンテナを取り付ける部材を設けることなく、無線信号を受信する際の妨げとなる障害物が最も少ない位置にアンテナを設置することができる。
【００１９】
ところで、運転者が起立した姿勢で操作する、いわゆるリーチ式のフォークリフトでは、一般に運転席が車両本体の右後端部に設けられているので、一般に、この場合には、請求項６に記載のように、運転の邪魔にならない車両本体の左後端部と、その左後端部と対称位置となる右側のアウトリガーとにヘリカルアンテナを配置するとよい。
【発明を実施するための最良の形態】
【００２０】
以下に、本発明が適用された実施形態の安全装置付フォークリフトについて、図面と共に説明する。
［第１実施形態］
（安全装置付フォークリフトの全体構成）
図１は、第１実施形態の安全装置付フォークリフトの構成を説明する説明図であり、図１（ａ）は安全装置付フォークリフトの平面図であり、図１（ｂ）は安全装置付フォークリフトの側面図である。また、図２は、図１（ａ）の安全装置３０の拡大図である。
【００２１】
図１に示すように、本実施形態の安全装置付フォークリフトは、運転者に対して注意を促す安全装置３０が搭載されたフォークリフトであり、このフォークリフトは、車体（フォークリフト）後方に重りをつけることによりこの車体のバランスをとるように構成された、いわゆるカウンタ式のフォークリフトである。
【００２２】
安全装置付フォークリフトは、運転者が乗り込んで着座するための運転席１０、フォーク１２、車輪１４，１６，１８，２０及びヘッドガード２２等を有して構成されている。
フォーク１２は、荷物を昇降させるためのものであり、このフォーク１２は運転席１０より前方側に設けられている。
【００２３】
車輪１４，１６，１８，２０は、運転席１０よりも前方と後方とに２つずつ配置されており、運転席１０よりも後方に配置された２つの車輪（後輪）１８，２０は操舵用の車輪である。なお、運転席１０よりも前方に配置された２つの車輪（前輪）１４，１６は駆動輪である。
【００２４】
ヘッドガード２２は、運転者の頭部を保護するためのものであり、このヘッドガード２２は運転席１０の上方側に設けられている。また、ヘッドガード２２は、複数の棒材からなり、棒材の各々は、所定の間隔を空けて略平行に配置されている。
【００２５】
一方、安全装置３０は、作業者に所持される携帯機（図示省略）から発信される無線信号を受信する受信アンテナ３２，３４、及び警報装置３６を有して構成されている。なお、携帯機は定期的に無線信号を発信するように構成されている。
【００２６】
警報装置３６は、ブザー（図示省略）を有して構成されており、この警報装置３６は、受信アンテナ３２，３４にて受信された受信結果に基づいてブザーから警報音を発生させることで、運転者に対して注意を促す。
【００２７】
また、警報装置３６は、運転席１０の前方側に位置するように、ヘッドガード２２に取り付けられており、この警報装置３６には、２つの受信アンテナ３２，３４が取り付けられている。
【００２８】
受信アンテナ３２，３４の各々は、アンテナが螺旋状に巻かれることで構成されたヘリカルアンテナであり、この受信アンテナ（ヘリカルアンテナ）３２，３４は、その螺旋の軸方向がフォークリフトの上下方向となるように設置されていた場合に、水平面内で無指向特性、かつ、鉛直面内で８の字型の指向特性を有する。
【００２９】
また、受信アンテナ３２，３４の各々は、図１及び図２に示すように、各受信アンテナ３２，３４は、８の字型の指向特性の中心軸Ｓ方向がフォークリフトの前後方向を向くとともに、８の字型の指向特性である鉛直面がフォークリフトの上下方向に対して直交するように設置される。
【００３０】
ここで、図１に示す点線により囲まれた領域は、無線電波の受信感度が高い領域、すなわち無線電波の受信領域を表しており、図１に示す「×」印は、フォークリフトの旋回中心Ｐを表している。そして、本実施形態では、図１に示すように、旋回中心Ｐを通ってフォークリフトの側方に延びる旋回中心線Ｌが、運転席１０近傍を通るようにされている。
【００３１】
以上説明したように、受信アンテナ３２，３４が運転席１０の前方側に配置されており、この受信アンテナ３２，３４は、その配置位置を中心として、無線電波の受信領域が、フォークリフトの上方側から見て前後方向に８の字型となるように設置されているので、フォークリフトの側方側のうち、旋回中心線Ｌが含まれる所定範囲の領域を旋回中心領域とすると、旋回中心領域における無線信号の受信感度は、運転席１０の前方側及び後方側における受信感度に比べて低くなる。
【００３２】
換言すれば、受信アンテナ３２，３４が運転席１０の前方側に配置されており、この受信アンテナ３２，３４は、その配置位置を中心として、無線電波の受信領域が、フォークリフトの上方側から見て前後方向に８の字型となるように設置されているので、フォーク１２の前方側における受信感度、及び後輪１８，２０よりも後方側における受信感度は、他の領域における受信感度に比べて高くなる。
【００３３】
（安全装置付フォークリフトの作動）
本実施形態の安全装置付フォークリフトでは、作業者がこの安全装置付フォークリフトに近づくことにより、この作業者が無線電波の受信領域に侵入すると、受信アンテナ３２，３４が携帯機から発信された無線電波を受信し、警報装置３６がブザーを作動させることにより警報が行われる。
【００３４】
このため、運転者に対して注意を促すことができるので、フォークリフトを用いた荷役作業の安全性を確保することができる。
（本実施形態に係る安全装置付フォークリフトの特徴）
本実施形態では、旋回中心領域（本実施形態では運転席１０の側方）における無線信号の受信感度が低くなるように構成されているので、作業者にとって安全とみなすことができ、かつ、運転者自らが安全確認を行うことができる旋回中心領域については、警報が頻繁に繰り返し行われることを抑制でき、運転者が警報に対して鈍感になってしまう等の弊害が発生してしまうことを抑制できる。
【００３５】
また、本実施形態では、運転席１０の前方側及び後方側については、旋回中心領域と異なり十分な受信感度を有しているので、前方側及び後方側における作業者の有無を確実に検出して警報を行うことができる。
【００３６】
したがって、本実施形態では、フォークリフトを用いた荷役作業の安全性を向上させることができる。
また、本実施形態では、全て（２つ）の受信アンテナ３２，３４が、運転席１０よりも前方側に配置されている。
【００３７】
したがって、荷役作業時に特に視界が狭くなる前方側における受信感度を適正なものとすることができるので、荷役作業の安全性を更に向上させることができる。
また、本実施形態では、ヘッドガード２２に受信アンテナ３２，３４が配置されているので、新たに受信アンテナを取り付ける部材を設けることなく、無線信号を受信する際の妨げとなる障害物が最も少ない位置に受信アンテナ３２，３４を設置することができる。
【００３８】
また、本実施形態では、受信アンテナとして、入手が容易なヘリカルアンテナ３２，３４を用いているので、安全装置付フォークリフトの製造原価上昇を抑制しつつ、荷役作業の安全性を向上させることができる。
【００３９】
（発明特定事項と実施形態との対応関係）
本実施形態では、携帯機が特許請求の範囲に記載された送信手段に相当し、受信アンテナ３２，３４が特許請求の範囲に記載された受信手段に相当し、警報装置３６が特許請求の範囲に記載された警報手段に相当する。また、フォーク１２が特許請求の範囲に記載された荷役昇降手段に相当し、ヘッドガード２２が特許請求の範囲に記載されたガード部材に相当する。
【００４０】
［第２実施形態］
第１実施形態では、受信アンテナとして２つのヘリカルアンテナ３２，３４を用いていたが、本実施形態は、受信アンテナとして平面アンテナ４０及びヘリカルアンテナ４２を１つずつ用いるようにしたものである。
【００４１】
（安全装置付フォークリフトの全体構成）
図３は、第２実施形態の安全装置付フォークリフトの構成を説明する説明図であり、図３（ａ）は安全装置付フォークリフトの平面図であり、図３（ｂ）は安全装置付フォークリフトの側面図である。
【００４２】
なお、以下の説明において、第１実施形態と同様の構成要素については、同じ符号を付しているため、詳細な説明は省略する。また、この説明の省略は、後述する第３〜第５実施形態についても同様である。
【００４３】
図３に示すように、本実施形態の安全装置付フォークリフトは、受信アンテナとして、平面アンテナ４０及びヘリカルアンテナ４２が、１つずつ設けられている。
平面アンテナ４０は、単一方向に指向特性を有するものであり、この平面アンテナ４０は、このアンテナ４０の指向特性の中心軸方向がフォークリフトの前方を向くように、フォークリフトの前輪１４と前輪１６との間に設置されている。
【００４４】
ヘリカルアンテナ４２は、８の字型の指向特性の中心軸方向がフォークリフトの前後方向を向くとともに、８の字型の指向特性である鉛直面がフォークリフトの左右方向に対して直交するように、フォークリフトの運転席１０よりも後方側に設置されている。
【００４５】
また、ヘリカルアンテナ４２における無線信号の受信感度は、フォークリフトの後方側近傍で無線電波が受信可能となるようにされている。
以上説明したように平面アンテナ４０及びヘリカルアンテナ４２がフォークリフトに設置されるので、旋回中心領域（本実施形態では運転席１０の側方）における無線信号の受信感度は、運転席１０の前方側及び後方側における受信感度に比べて低くなる。
【００４６】
（本実施形態に係る安全装置付フォークリフトの特徴）
したがって、本実施形態においても、上述した第１実施形態と同様に、フォークリフトを用いた荷役作業の安全性を向上させることができる。
【００４７】
（発明特定事項と実施形態との対応関係）
本実施形態では、平面アンテナ４０及びヘリカルアンテナ４２が特許請求の範囲に記載された受信手段に相当する。
【００４８】
［第３実施形態］
第１実施形態では、受信アンテナとして２つのヘリカルアンテナ３２，３４を用いていたが、本実施形態は、受信アンテナとして２つの八木式アンテナ４４，４６を用いるようにしたものである。
【００４９】
（安全装置付フォークリフトの全体構成）
図４は、第３実施形態の安全装置付フォークリフトの構成を説明する説明図であり、図４（ａ）は安全装置付フォークリフトの平面図であり、図４（ｂ）は安全装置付フォークリフトの側面図である。
【００５０】
図４に示すように、本実施形態の安全装置付フォークリフトは、受信アンテナとして、２つの八木式アンテナ４４，４６が設けられている。
八木式アンテナ４４，４６は、単一方向に指向特性を有するものであり、一方の八木式アンテナ４４は、このアンテナ４４の指向特性の中心軸方向がフォークリフトの前方を向くように、ヘッドガード２２の前方側に設置されており、他方の八木式アンテナ４６は、このアンテナ４６の指向特性の中心軸方向がフォークリフトの後方を向くように、ヘッドガード２２の後方側に設置されている。
【００５１】
以上説明したように２つの八木式アンテナ４４，４６がフォークリフトに設置されるので、旋回中心領域（本実施形態では運転席１０の側方）における無線信号の受信感度は、運転席１０の前方側及び後方側における受信感度に比べて低くなる。
【００５２】
（本実施形態に係る安全装置付フォークリフトの特徴）
したがって、本実施形態においても、上述した第１及び第２実施形態と同様に、フォークリフトを用いた荷役作業の安全性を向上させることができる。
【００５３】
（発明特定事項と実施形態との対応関係）
本実施形態では、２つの八木式アンテナ４４，４６が特許請求の範囲に記載された受信手段に相当する。
【００５４】
［第４実施形態］
第１〜第３実施形態では、カウンタ式のフォークリフトに本発明を適用していたが、本実施形態は、マストが前後に移動するとともにフォークの根元部分よりも前方に前輪が設けられた、いわゆるリーチ式のフォークリフトに本発明を適用したものである。
【００５５】
（安全装置付フォークリフトの全体構成）
図５は、第４実施形態の安全装置付フォークリフトの構成を説明する説明図であり、図５（ａ）は安全装置付フォークリフトの平面図であり、図５（ｂ）は安全装置付フォークリフトの側面図である。
【００５６】
図５に示すように、本実施形態の安全装置付フォークリフトは、フォークリフトの右後端部に形成された運転席５０、フォーク５２、一対のアウトリガー５４、車輪５８，６０，６２及びヘッドガード６４等を有して構成されている。
【００５７】
アウトリガー５４は、フォーク５２側方側から前方に向かって延びるアーム状の部材であり、このアウトリガー５４は、フォークリフト前方両端側に配置されている。
車輪５８，６０，６２は、一対（左右）のアウトリガー５４と運転席５０の下方側とに１つずつ配置されており、一対のアウトリガー５４に配置された車輪（前輪）５８，６０は遊動輪であり、運転席５０の下方に配置された車輪（後輪）６２は、操舵用の車輪であって駆動輪でもある。なお、後輪６２の近傍には補助輪（図示省略）が設けられている。
【００５８】
また、本実施形態では、第１〜第３実施形態のフォークリフト（カウンタ式のフォークリフト）よりも、操舵角が大きくなるように構成されている。
これにより、本実施形態では第１〜第３実施形態のフォークリフトよりも旋回中心Ｐが内側になるので、旋回中心線Ｌは運転席５０よりも前方に配置された前輪５８，５８近傍を通り、旋回中心領域は前輪５８，６０の側方側となる。
【００５９】
また、本実施形態では、受信アンテナとして、２つのヘリカルアンテナ６６，６８が用いられており、一方のヘリカルアンテナ６６は右側のアウトリガー５４に配置され、他方のヘリカルアンテナ６８はフォークリフトの左後端部（運転席５０左側）に配置されている。
【００６０】
具体的に説明すると、ヘリカルアンテナ６６，６８のうち右側のアウトリガー５４に配置されたヘリカルアンテナ６８は、８の字の指向特性の中心軸方向がフォークリフトの前方側及び右後方側を向くとともに、８の字の指向特性である鉛直面がフォークリフトの上下方向に対して直交するように、右側のアウトリガー５４の旋回中心線Ｌ上に設置されている。
【００６１】
一方、フォークリフトの左後端部に配置されたヘリカルアンテナ６８は、８の字の指向特性の中心軸方向がフォークリフトの前後方向を向くとともに、８の字の指向特性である鉛直面がフォークリフトの左右方向に対して直交するように設置されている。
【００６２】
以上説明したようにヘリカルアンテナ６６，６８がフォークリフトに設置されるので、旋回中心領域（本実施形態では前輪５８，６０の側方）における無線信号の受信感度は、フォーク５２の前方側及び後輪６２よりも後方側における受信感度に比べて低くなり、フォーク５２の前方側における受信感度、及び後輪１８，２０よりも後方側における受信感度は、他の領域における受信感度に比べて高くなる。
【００６３】
（本実施形態に係る安全装置付フォークリフトの特徴）
したがって、本実施形態においても、上述した第１〜第３実施形態と同様に、フォークリフトを用いた荷役作業の安全性を向上させることができる。
【００６４】
（発明特定事項と実施形態との対応関係）
本実施形態では、ヘリカルアンテナ６６，６８が特許請求の範囲に記載された受信手段に相当し、フォーク５２が特許請求の範囲に記載された荷役昇降手段に相当し、ヘッドガード６４が特許請求の範囲に記載されたガード部材に相当する。
【００６５】
［第５実施形態］
第４実施形態では、右側のアウトリガー５４とフォークリフトの左後端部とにヘリカルアンテナ６６，６８を設置したが、本実施形態は、ヘッドガード６４に２つのヘリカルアンテナ７０，７２を設置するようにしたものである。
【００６６】
（安全装置付フォークリフトの全体構成）
図６は、第５実施形態の安全装置付フォークリフトの構成を説明する説明図であり、図６（ａ）は安全装置付フォークリフトの平面図であり、図６（ｂ）は安全装置付フォークリフトの側面図である。
【００６７】
図６に示すように、ヘリカルアンテナ７０，７２は、ヘッドガード６４の前方及び後方に配置されており、前方に配置されたヘリカルアンテナ７０は、８の字の指向特性の中心軸方向がフォークリフトの前後方向を向くとともに、８の字の指向特性である鉛直面がフォークリフトの上下方向に対して直交するように設置されている。
【００６８】
一方、ヘッドガード６４の後方に配置されたヘリカルアンテナ７２は、８の字の指向特性の中心軸方向がフォークリフトの上方前側及び下方後側を向くとともに、８の字の指向特性である鉛直面がフォークリフトの左右方向に対して直交するように設置されている。
【００６９】
そして、本実施形態では、上述したようにヘリカルアンテナ７０，７２をヘッドガード６４に設置することで、旋回中心領域（本実施形態では前輪５８，６２の側方）における無線信号の受信感度を、フォーク５２の前方側及び後輪６２よりも後方側における受信感度に比べて低くするように構成している。
【００７０】
（本実施形態に係る安全装置付フォークリフトの特徴）
したがって、本実施形態においても、上述した第１〜第４実施形態と同様に、フォークリフトを用いた荷役作業の安全性を向上させることができる。
【００７１】
（発明特定事項と実施形態との対応関係）
本実施形態では、ヘリカルアンテナ７０，７２が特許請求の範囲に記載された受信手段に相当する。
【００７２】
［その他の実施形態］
例えば、第１実施形態では、ヘリカルアンテナ３２，３４を、８の字型の指向特性の中心軸方向がフォークリフトの前後方向を向くとともに、８の字型の指向特性である鉛直面がフォークリフトの左右方向に対して直交するように、フォークリフトの運転席１０よりも後方側に設置するようにしてもよい。
【００７３】
この場合、無線信号の受信感度は、ヘリカルアンテナ３２，３４を中心として３６０度全域方向に渡ってほぼ同一となるので、遮蔽板を用いることで、運転席１０の側方側の受信感度を下げるようにするとよい。
【００７４】
また、上述した実施形態では、受信アンテナとして、ヘリカルアンテナ３２，３４，４２、平面アンテナ４０及び八木式アンテナ４４，４６を用いていたが、これに限らず、ダイポールアンテナやループアンテナ等のアンテナを用いてもよい。
【００７５】
また、特許請求の範囲でいう「ガード部材」とは、運転席１０の上方側にて運転者を保護するためのものであれば何でもよく、上述したヘッドガード２２のように運転席１０上方側が全て覆われていないものは当然の如く、運転席１０上方側が全て覆われたもの、すなわち屋根も含むものである。
【００７６】
また、本発明は、特許請求の範囲に記載された発明の趣旨に合致するものであればよく、上述した実施形態に限定されるものではない。
【図面の簡単な説明】
【００７７】
【図１】第１実施形態の安全装置付フォークリフトの構成を説明する説明図である。
【図２】図１（ａ）の安全装置の拡大図である。
【図３】第２実施形態の安全装置付フォークリフトの構成を説明する説明図である。
【図４】第３実施形態の安全装置付フォークリフトの構成を説明する説明図である。
【図５】第４実施形態の安全装置付フォークリフトの構成を説明する説明図である。
【図６】第５実施形態の安全装置付フォークリフトの構成を説明する説明図である。
【符号の説明】
【００７８】
１０，５０…運転席、１２，５２…フォーク、１４，１６，５８，６０…前輪、１８，２０，６２…後輪、２２，６４…ヘッドガード、３０…安全装置、３２，３４，４２，６６，６８，７０，７２…ヘリカルアンテナ、３６…警報装置、４０…平面アンテナ、４４，４６…八木式アンテナ、５４…アウトリガー。
【図１】
2008044682.tif 000003
【図２】
2008044682.tif 000004
【図３】
2008044682.tif 000005
【図４】
2008044682.tif 000006
【図５】
2008044682.tif 000007
【図６】
2008044682.tif 000008